(57)【特許請求の範囲】
【請求項１】
１つ以上の多孔質担体と、
複数の棒材を立体枠状に組んで前記多孔質担体を収容する付着体と、を少なくとも含む水質浄化体であって、
前記付着体は、立方体状の収容空間ができるように格子状に組み立てられており、
前記多孔質担体は、前記収容空間よりも大きく、
前記各棒材の端部は、前記収容空間から延出していることを特徴とする、水質浄化体。
【請求項２】
前記付着体に、ゴム製の緩衝材を設けることを特徴とする、請求項１に記載の水質浄化体。
【請求項３】
内部に多孔質担体を収容した付着体と、内部に多孔質担体を収容しない付着体と、を組み合わせたことを特徴とする、
請求項１または請求項２に記載の水質浄化体。
【発明の詳細な説明】
【技術分野】
【０００１】
本発明は、水中に設置する水質浄化体に関し、より詳細には生物付着性に優れる水質浄化体に関する。
【背景技術】
【０００２】
河川や海洋における水質浄化技術として、ポーラスコンクリート等の多孔質担体を利用する方法がある。
特に、中空構造のバイオポラコンは、外部が好気性、内部が嫌気性と異なる環境が同時に形成され、多種多様な生物が棲息しやすいため、生物による環境の浄化を促進することができる。
【０００３】
ポーラスコンクリートを用いた水質浄化技術に関する特許文献を以下に示す。
特許文献１には、浮島を、ポーラスコンクリートで製作する技術がされている。
特許文献２には、水質浄化材を、ポーラスコンクリート浄化槽に浄化材を充てんした水質浄化体が開示されている。
特許文献３には、水質浄化材を、ポーラスコンクリートブロックと粒状の木炭を袋材で内包した製作した技術が開示されている。
【０００４】
前記特許文献１に係る浮島は、ポーラスコンクリートの比表面積が大きく、生物種が単なるコンクリート護岸よりも付着しやすいものの、一定量以上の付着があると、生物種が剥落しやすいという問題がある。
そして、ポーラスコンクリートそのものが脆弱であるため、崩壊しやすいという問題もある。
また、ポーラスコンクリートは、水深が深い場所では足場の確保やダイバーによる作業が必要となり、単体での設置は労力がかかるという問題もある。
【０００５】
前記特許文献２および３に係る水質浄化体は、ポーラスコンクリートの他に、別途浄化材を併用するため、水質浄化機能の維持のために、適宜浄化材の補充や入替が必要となる場合がある。
【先行技術文献】
【特許文献】
【０００６】
【特許文献１】特開２００２−１３６９８３号公報
【特許文献２】特開２００５−９５７７３号公報
【特許文献３】特許５３３０１６５号公報
【発明の概要】
【発明が解決しようとする課題】
【０００７】
上記の通り、各従来技術に係る水質浄化構造は、以下の点について、改善の余地が残されている。
（１）浄化材の役割を果たす生物の付着量を増やすこと。
（２）付着した生物の剥落を防止して固定化すること。
（３）脆弱な多孔質担体を保護すること。
（４）水中への設置方法を簡易化および効率化すること。
（５）浄化材の補充などを行わずとも、１年を通じて浄化機能を発揮し続けること。
【０００８】
本発明は、上記した各種の改善点を解消することが可能な水質浄化体を提供することを目的とする。
【課題を解決するための手段】
【０００９】
上記課題を解決すべくなされた本願の第１発明は、１つ以上の多孔質担体と、複数の棒材を立体枠状に組んで前記多孔質担体を収容する付着体と、を少なくとも含む水質浄化体であって、前記付着体は、立方体状の収容空間ができるように格子状に組み立てられており、前記多孔質担体は、前記収容空間よりも大きく、前記各棒材の端部は、前記収容空間から延出していることを特徴とする。
また、本願の第２発明は、前記第１発明において、前記付着体に、ゴム製の緩衝材を設けることを特徴とする。
また、本願の第３発明は、前記第１発明または第２発明において、内部に多孔質担体を収容した付着体と、内部に多孔質担体を収容しない付着体と、を組み合わせたことを特徴とする。
【発明の効果】
【００１０】
本発明によれば、以下に記載する効果を奏する。
（１）多孔質担体とは別部材である付着体を設けることにより、生物の付着可能な表面積が増え、水質浄化体の単位体積当たりの生物付着量の増加に寄与する。また、付着した生物による浄化機能も向上することになる。
（２）付着体に付着した生物が剥落しにくいため、生物付着量の減少が起こりづらい。
（３）多孔質担体や付着体に付着した生物が剥落しても、周囲の多孔質担体や付着体への再付着が期待できる。
（４）多孔質担体の周囲に配置した付着体が保護フレームとなることによって、波などの影響等による多孔質担体の崩壊を防止することができる。
（５）多孔質担体の周囲に配置した付着体によって、多孔質担体と付着体との間の隙間にも生物が生息し易くなる。
（６）多孔質担体と付着体とを連結してユニット化することにより、護岸の形状に合わせた水質浄化体を形成することができ、水中への設置作業も簡易化・効率化することができる。
（７）冬場に生物の活性が落ちる時期には多孔質担体での水質浄化機能を生かし、春から秋にかけて生物が活性化する時期は積極的に生物の付着量を多くする構造体とすることで、１年を通じた水質浄化機能の発揮が可能である。
（８）付着体に用いる素材を複数組み合わせることにより、付着する生物の多様性も確保することができる。
（９）付着体を鋼製とすると、付着体の鉄分によって周囲の海藻などの成長を促進させることができる。
（１０）付着体にゴム製の緩衝材を設けることにより、さらなる多孔質担体の保護が可能となり、岸壁などの構造物への衝突による破損等も防止することができる。また、緩衝材を付着体と異なる材料とすれば、付着する生物の多様性も確保することができる。
（１１）内部に多孔質担体を収容した付着体と、内部に多孔質担体を収容しない付着体とを組み合わせることで、水質浄化に必要な水の流れの確保を制御しやすい。
（１２）水質浄化体を、付着体のみからなる支持フレームで支持する構造体を構成することで、該構造体の設置の際に太陽光が当たりやすい水深の浅い箇所のみに水質浄化体を配置することで、水質浄化機能の最適化を図ることができる。
（１３）撤去時も枠体で一体化しているので容易、担体の交換、貝の除去などのメンテナンスも容易にできる。
【図面の簡単な説明】
【００１１】
【図１】本発明に係る水質浄化体の概略斜視図
【図２】図１に係る水質浄化体の使用方法を示す概略図
【図３】水質浄化体の設置時間毎の比較写真
【図４】本発明に係る水質浄化体の他の形状例１を示す概略図
【図５】本発明に係る水質浄化体の他の形状例２を示す概略図
【図６】本発明に係る水質浄化体の他の形状例３を示す概略図
【図７】本発明に係る水質浄化体のその他の設置例を示す概略図
【発明を実施するための形態】
【００１２】
以下、図面を参照しながら本発明の実施形態について説明する。
【実施例】
【００１３】
＜１＞全体構成
図１に本発明に係る水質浄化体を示す。
本発明に係る水質浄化体Ａは、１つ以上の多孔質担体１０と、前記多孔質担体１０を収容可能に構成するか、または前記多孔質担体１０に差し込むように設ける、付着体２０と、からなる。
以下、各部材の詳細について説明する。
【００１４】
＜２＞多孔質担体
多孔質担体１０は、水質浄化機能を発揮するための部材である。
多孔質担体１０は、多孔性を呈する担体であり、担体全体に設けてある孔の空隙部分に微生物の棲息が可能な部材であればいかなる部材を用いる事ができる。
本実施例では、多孔質担体１０に、ポーラスコンクリートを用いている。
この多孔質担体１０は、担体内部を通水する過程で、担体に付着した微生物等の生物種が、表面では好気的な生物分解、内部では嫌気的な生物分解を行うものである。
【００１５】
＜２．１＞多孔質担体の形状
多孔質担体１０の形状は、球状、立方体状などあらゆる形状を採用することができる。
本実施例では、多孔質担体１０を球状に形成している。
多孔質担体１０を球状に形成しておけば、複数の多孔質担体１０同士を組み合わせたときに、空隙が生まれやすく、日光があたりやすくなるほか、水の通りや生物の移動、生物種の住処になるなどの利点が生じやすい。
【００１６】
＜３＞付着体
付着体２０は、生物の付着量を増加させるための部材である。
付着体２０は、立体状に組み立てた棒材２１を前記多孔質担体１０の周囲に設けるように構成することができる。
本実施例では、略中央に立方体状の空間ができるように、複数の棒材２１を立法格子状に組み立てて付着体２０を構成している。各棒材の端部は前記した立方体状の空間から延出した状態とする。
前記した立方体状の空間が、前記多孔質担体１０の収容空間２３となる。
本実施例に係る付着体２０は、箱体２０ａと蓋体２０ｂとの二つの部材に分けて製作されており、箱体２０ａの収容空間２３へと多孔質担体１０を収めてから、蓋体２０ｂを取り付けて、図示していないクリップ金具等で固定することで、多孔質担体１０と付着体２０とを一体化している。
このとき、前記収容空間２３が立方形状である場合、等長である一辺の長さよりも、前記多孔質担体１０の直径を大きくするようにしておけば、多孔質担体１０が付着体２０から抜け落ちる事は無い。
【００１７】
＜３．１＞付着体の素材
付着体２０の素材は、多孔質担体１０の保護や、岸壁との衝突などに耐えられる程度の素材であれば、あらゆる素材を用いることができる。
本実施例では、鋼製の棒材２１を用いている。
棒材２１を鋼製とした場合、棒材２１から溶け出す鉄分が周囲の海藻などへの養分となる点で有益である。
【００１８】
＜３．２＞異種素材の組合せ
付着体２０は、材質の異なる棒材２１（防錆塗装鉄筋やＳＵＳ等の金属素材、樹脂製など）を組み合わせて構成することもできる。
付着体２０に付着する生物の種類は、棒材２１の材質によって変わるため、異種素材を組合せて付着体２０を構築すれば、付着する生物種の多様性を確保することができる。
【００１９】
＜３．３＞緩衝材の追加
付着体２０には、別途緩衝材２２を設けても良い。この緩衝材２２は、付着体２０が岸壁などに衝突した際に、何れか或いは双方の破損を防止するための部材である。
緩衝材２２の素材は、公知の弾性部材を用いることができる。
緩衝材２２の取付態様は、棒材２１の周囲に巻き付ける態様や、棒材２１の自由端の先端に取付ける態様などがある。
本実施例では、棒材２１の自由端先端にタップ加工を施し、当該部分にゴム製の球状の緩衝材２２を螺合している。
【００２０】
＜４＞水質浄化体の使用方法
次に、図２を参照しながら、前記した水質浄化体の使用方法について説明する。
まず、前記した水質浄化体Ａを、上下方向に適宜所定間隔を設けつつ連結ロープ３０を介して複数連結した連結体を地上で製作する。前記連結対の下端には、錘４０を取り付けておき、岸壁Ｘの近傍の水中に配置する際に、前記錘４０が水底Ｙに達するように構成している。
【００２１】
図３に、水質浄化体Ａの設置後の経過を示す。
図３（ａ）は、２月の設置から約１ヶ月が経過した際に引き上げた水質浄化体Ａの写真であり、図３（ｂ）は、設置から約３ヶ月が経過した際に引き上げた水質浄化体Ａの写真である。
図３（ｂ）の通り、設置から約３ヶ月程度で、付着体２０に収容した多孔質担体１０が外から視認できないほどの付着生物の存在が確認できる。
また図３（ｂ）では、棒材２１を鋼製とし、緩衝材２２をゴム製としているところ、棒材２１には主にムラサキイガイが付着し、緩衝材２２には主にフジツボが付着した。
このように、水質浄化体Ａを構成する部材を異なる素材を組み合わせることで、付着する生物の多様性の確保も確認できる結果となった。
【００２２】
多孔質担体１０は、内部を通水する過程で、担体に付着した微生物等の生物種が、表面では好気的な生物分解、内部では嫌気的な生物分解をし、水質を浄化する効果がある。
一方、春から秋にかけては、生物種の成長も著しく、多孔質担体１０の表面を生物被膜で覆ってしまうため、多孔質担体内部への通水効果が薄れる場合も考えられる。
しかし、付着した生物種の生物活動によっても炭素固定や水質浄化効果が期待できるため、生物種の付着量が増えることは、一定の水質浄化効果が見込まれる。
そこで、本発明に係る水質浄化体Ａは、冬場に生物の活性が落ちる時期には多孔質担体１０での水質浄化機能を生かし、春から秋にかけて生物が活性化する時期は、付着体２０でもって、積極的に生物の付着量を多くする構造とすることで、１年を通じて水質浄化機能を発揮することが期待できる。
例えば、今回多く付着が確認されたムラサキイガイは、殻の隙間から足糸を出して付着する生物種である。冬場になるにつれ、死滅し、付着力が弱まった際には、一部剥落も考えられるが、残った殻の密集体は新たな多孔質担体として付着媒体となるため、翌年の生物種の付着に寄与し得る。
【００２３】
＜５＞その他の形状例１
図４に、水質浄化体Ａのその他の形状例１を示す。
本発明に係る付着体２０は、多孔質担体１０に棒材２１を差し込んで連結した態様で構成することもできる。
本実施例では、球状の多孔質担体１０の上下にそれぞれ棒材２１の一端を差し込んでモルタルで接合しており、串刺し状を呈している。
棒材２１の他端には、リング状の接続具２４を設け、連結ロープ３０などを取付可能に構成している。
本実施例に係る構造では、付着体２０による多孔質担体１０の保護機能は薄れるものの、付着体２０による生物付着量の増加機能を発揮することができる。
【００２４】
＜６＞その他の形状例２
図５に、水質浄化体Ａのその他の形状例２を示す。
多孔質担体１０は、太陽光の当たる深度、水の流れのある場所において効率よく効果を発揮するため、太陽光の当たらない水深の深い場所や、各ユニットが重なることで水の流れが無い場所では、水質浄化効果が薄くなる。
そこで、図５に示すように、内部に多孔質担体１０を収容した付着体２０と、内部に多孔質担体１０を収容せずに、非収容空間２６としたままの付着体２０と、を組み合わせた水質浄化体Ａとすることにより、多孔質担体１０への水の流れを制御して、水質浄化機能の低下を抑制することができる。
【００２５】
＜７＞その他の形状例３
図６に、水質浄化体Ａのその他の形状例３を示す。
本発明に係る付着体２０の形状および、該付着体２０への多孔質担体１０の収容態様は、その他にも種々の態様を採用することができる。
図６（ａ）は、籠状の付着体２０に、複数の多孔質担体１０を並べて配置した構造を呈している。
図６（ｂ）は、複数の多孔質担体１０を並べて配置した籠状の付着体２０を、複数段積みしたような構造を呈している。
図６（ｃ）は、串刺し状に配置した多孔質担体１０および付着体２０を並べて配置した構造を呈している。
これらの形状例は、設置箇所の条件に応じて、適宜選択すればよい。
【００２６】
＜８＞その他の設置例
図７に、水質浄化体Ａのその他の設置例を示す。
図７では、水質浄化体Ａを含む構造体を水底に設置するにあたり、水深の浅い箇所には、水質浄化体Ａが位置するようにし、水深の深い場所は、前記水質浄化体Ａを支持するための支持フレームＢを設けた構成としている。
支持フレームＢは、前記した付着体２０で構成してもよいし、前記水質浄化体Ａを連結可能な公知の支持具で構成してもよい。
支持フレームＢの固定は、公知の方法を採用することができる。
本実施例によれば、太陽光が当たりやすい水深の浅い箇所のみに、水質浄化体Ａを配置することで、水質浄化機能の最適化を図ることができる。
【符号の説明】
【００２７】
Ａ      水質浄化体
１０    多孔質担体
２０    付着体
２０ａ  箱体
２０ｂ  蓋体
２１    棒材
２２    緩衝材
２３    収容空間
２４    接続具
２５    非収容空間
３０    連結ロープ
４０    錘
Ｂ      支持フレーム
Ｘ      岸壁
Ｙ      水底
【図１】
0006614900.tif 000002
【図２】
0006614900.tif 000003
【図３】
0006614900.tif 000004
【図４】
0006614900.tif 000005
【図５】
0006614900.tif 000006
【図６】
0006614900.tif 000007
【図７】
0006614900.tif 000008